(57)【要約】【課題】容易に輸送可能であるとともに、加温を容易にすることが可能な燃料用植物油の輸送方法及び燃料用植物油の搬送用パレットを提供すること。【解決手段】複数の封入容器２を幅方向に配置可能な幅をもつ直方体状の土台１０と、前記土台１０の長辺に沿って立ち上がる一対の柵部２０と、を備えるパレット１を用い、周囲の雰囲気の温度で固化する燃料用植物油を輸送する燃料用植物油の輸送方法であって、前記燃料用植物油が封入された複数の前記封入容器２が積載された前記パレット１を上下方向に積み重ねた状態で直方体状のコンテナに収容して輸送する輸送工程を備える。【選択図】図８
2018118746.tif 000002
【特許請求の範囲】
【請求項１】
複数の封入容器を幅方向に配置可能な幅をもつ直方体状の土台と、前記土台の長辺に沿って立ち上がる一対の柵部と、を備えるパレットを用い、周囲の雰囲気の温度で固化する燃料用植物油を輸送する燃料用植物油の輸送方法であって、
前記燃料用植物油が封入された複数の前記封入容器が積載された前記パレットを上下方向に積み重ねた状態で直方体状のコンテナに収容して輸送する輸送工程を備える、燃料用植物油の輸送方法。
【請求項２】
前記輸送工程の前に、複数の前記封入容器を前記パレットに積載する積載工程を更に備える請求項１に記載の燃料用植物油の輸送方法。
【請求項３】
前記輸送工程において、前記パレットを上下方向に積み重ねつつ、前記コンテナに積み付ける積付工程を備える請求項１又は２に記載の燃料用植物油の輸送方法。
【請求項４】
前記輸送工程において、前記積付工程の前に、サポート材を用いて前記パレットを補強する補強工程を更に備える請求項３に記載の燃料用植物油の輸送方法。
【請求項５】
前記輸送工程の後に、燃料用植物油を燃焼することにより発生した排熱により前記封入容器を加温して保管する保管工程を更に備える請求項１から４のいずれかに記載の燃料用植物油の輸送方法。
【請求項６】
前記保管工程において、前記パレットに複数の前記封入容器を積載した状態で前記封入容器を加温する請求項５に記載の燃料用植物油の輸送方法。
【請求項７】
直方体のコンテナに積み付けられ、周囲の雰囲気の温度で固化する燃料用植物油を搬送するパレットであって、
燃料用植物油が封入された複数の封入容器を長辺に沿って隣接配置可能な上面をもつ直方体状の土台と、
前記土台の長辺に沿って立ち上がる一対の柵部と、
を備える燃料用植物油の搬送用パレット。
【請求項８】
一対の前記柵部は、前記封入容器の高さを超えて立ち上がる請求項７に記載の燃料用植物油の搬送用パレット。
【請求項９】
前記土台は、前記コンテナの内部の幅と略同じ長辺をもつ請求項７又は８に記載の燃料用植物油の搬送用パレット。
【請求項１０】
一対の前記柵部のそれぞれは、略同じ高さで立ち上がる請求項７〜９のいずれかに記載の燃料用植物油の搬送用パレット。
【請求項１１】
一対の前記柵部に交差して固定される棒状のサポート材を更に備える請求項７〜１０のいずれかに記載の燃料用植物油の搬送用パレット。
【請求項１２】
前記土台及び一対の前記柵部は、金属製である請求項７から１１のいずれかに記載の燃料用植物油の搬送用パレット。
【発明の詳細な説明】
【技術分野】
【０００１】
本発明は、燃料用植物油の輸送方法及び燃料用植物油の搬送用パレットに関する。
【背景技術】
【０００２】
一般に、バイオマス燃料を用いてエネルギを取り出すことが行われている。このバイオマス燃料は、元々生物からできたものであり、木、家畜の糞、紙、動植物性油脂等が含まれる。
【０００３】
動植物性油脂の一例として、燃料用植物油であるパーム油がある。パーム油は、パームの果肉から採取した油に必要に応じて溶剤等を加え、冷却することにより得ることができる。パーム油は、一般に食用として用いられ、あるいは石鹸の材料として用いられる。
【０００４】
この燃料用植物油は、単位発熱量が重油や原油に比べて低いものの、硫黄分が少ないという特徴がある。この種の燃料用植物油を用いた装置として、植物油を燃料として用いるディーゼルエンジンの駆動システムが提案されている（例えば、特許文献１参照）。
【先行技術文献】
【特許文献】
【０００５】
【特許文献１】特開２０１５−７４１５号公報
【発明の概要】
【発明が解決しようとする課題】
【０００６】
植物油は、周囲の雰囲気の温度において固化する場合がある。植物油を液体として用いるためには、植物油を貯蔵しているタンクを加温し続け、液体の状態を保つ必要がある。提案された駆動システムにおいても植物油サービスタンクを加温し続けることにより、液体の植物油をディーゼルエンジンに供給している。このように、使用に際して植物油を加温しておく必要があることから、加温が容易であることが好ましい。
【０００７】
本発明は、容易に輸送可能であるとともに、加温を容易にすることが可能な燃料用植物油の輸送方法及び燃料用植物油の搬送用パレットを提供することを目的とする。
【課題を解決するための手段】
【０００８】
本発明は、複数の封入容器を幅方向に配置可能な幅をもつ直方体状の土台と、前記土台の長辺に沿って立ち上がる一対の柵部と、を備えるパレットを用い、周囲の雰囲気の温度で固化する燃料用植物油を輸送する燃料用植物油の輸送方法であって、前記燃料用植物油が封入された複数の前記封入容器が積載された前記パレットを上下方向に積み重ねた状態で直方体状のコンテナに収容して輸送する輸送工程を備える、燃料用植物油の輸送方法に関する。
【０００９】
また、燃料用植物油の輸送方法は、前記輸送工程の前に、複数の前記封入容器を前記パレットに積載する積載工程を更に備えてもよい。
【００１０】
また、前記輸送工程において、前記パレットを上下方向に積み重ねつつ、前記コンテナに積み付ける積付工程を備えてもよい。
【００１１】
また、前記輸送工程において、前記積付工程の前に、サポート材を用いて前記パレットを補強する補強工程を更に備えてもよい。
【００１２】
また、燃料用植物油の輸送方法は、前記輸送工程の後に、燃料用植物油を燃焼することにより発生した排熱により前記封入容器を加温して保管する保管工程を更に備えてもよい。
【００１３】
また、前記保管工程において、前記パレットに複数の前記封入容器を積載した状態で前記封入容器を加温してもよい。
【００１４】
また、本発明は、直方体のコンテナに積み付けられ、周囲の雰囲気の温度で固化する燃料用植物油を搬送するパレットであって、燃料用植物油が封入された複数の封入容器を長辺に沿って隣接配置可能な上面をもつ直方体状の土台と、前記土台の長辺に沿って立ち上がる一対の柵部と、を備える燃料用植物油の搬送用パレットに関する。
【００１５】
また、一対の前記柵部は、前記封入容器の高さを超えて立ち上がってもよい。
【００１６】
また、前記土台は、前記コンテナの内部の幅と略同じ長辺をもっていてもよい。
【００１７】
また、一対の前記柵部のそれぞれは、略同じ高さで立ち上がってもよい。
【００１８】
また、燃料用植物油の搬送用パレットは、一対の前記柵部に交差して固定される棒状のサポート材を更に備えてもよい。
【００１９】
また、前記土台及び一対の前記柵部は、金属製であってもよい。
【発明の効果】
【００２０】
本発明によれば、容易に輸送可能であるとともに、加温を容易にすることが可能な燃料用植物油の輸送方法及び燃料用植物油の搬送用パレットを提供することができる。
【図面の簡単な説明】
【００２１】
【図１】本発明の一実施形態に係る搬送用パレットを示す斜視図である。
【図２】図１のＡ矢示図である。
【図３】図１のＢ矢示図である。
【図４】図１のＣ矢示図である。
【図５】一実施形態の封入容器を積載した搬送用パレットを示す斜視図である。
【図６】図５のＤ矢示図である。
【図７】図５のＥ矢示図である。
【図８】一実施形態のサポート材を固定した封入容器を積載した搬送用パレットを示す斜視図である。
【図９】本発明の一実施形態に係る燃料用植物油の輸送方法のフローチャートを示す。
【図１０】図８の搬送用パレットを重ねた斜視図である。
【図１１】一実施形態の封入容器を積載した搬送用パレットを保管する際の概略図を示す。
【発明を実施するための形態】
【００２２】
以下、本発明に係る燃料用植物油の輸送方法及び燃料用植物油の搬送用パレットの一実施形態について図１〜図１１を参照して説明する。
まず、燃料用植物油について説明する。
燃料用植物油（以下、単に植物油という）は、植物から採取された油であり、パームの果肉から採取されるパーム油や、トウモロコシから採取されるコーン油等である。燃料用植物油は、周囲の雰囲気の温度では固化する場合があり、固化した場合には加温することにより液体となる。なお、周囲の雰囲気の温度を常温（５度〜３５度）とすると、パーム油の融点は、２７度〜５０度であり、枯渇性燃料油と比べると比較的高い融点をもつ。
【００２３】
本実施形態において、植物油は、火力発電所等においてバイオマス燃料として用いられる。そのため、植物油は、比較的多量が輸送及び保管される。
【００２４】
上記のような植物油の性質から、多量の植物油をそのまま固化させて輸送するのは効率性に欠ける。また、加温しながら液体の植物油を輸送することも考えられるが、大容量の容器を加温し続ける必要があるので輸送コストがかかる。また、保管時においても同様に、大容量の容器を加温し続ける必要があるので保管コストがかかる。そこで、植物油を封入容器２（例えば２００リットル容量のドラム缶やそれに類する大きさの容器）に小分けして封入することにより、効率よく輸送するとともに、保管時の加温を容易にすることができる。
【００２５】
本実施形態にかかる燃料用植物油の搬送用パレット１（以下、単にパレット１とする）は、植物油を封入した封入容器２を搬送するために用いられる。このパレット１は、封入容器２を積載した状態で直方体のコンテナに積み付けられて輸送される。パレット１は、図１〜図８に示すように、土台１０と、柵部２０と、サポート材３０と、を備える。なお、本実施形態において、封入容器２については、一例としてドラム缶を記載する。
【００２６】
土台１０は、鉄製且つ方柱状の棒体を格子状に組み合わせることにより全体を直方体状に形成される。また、土台１０は、コンテナの内部の幅と略同じ長辺をもつ。この土台１０は、脚部１１と、載置部１２と、を備える。
【００２７】
脚部１１は、複数の棒体を略矩形に組み合わせることにより形成される。具体的には、脚部１１は、長さ方向に沿って配置される２つの第１棒体１１１と、幅方向に沿って配置される２つの第２棒体１１２と、を連結することにより形成される。これにより、脚部１１は、例えば、長さ方向１７７０ｍｍ、幅方向６２０ｍｍの略矩形に形成される。
【００２８】
載置部１２は、複数の棒体が凸状に組み合わされ、脚部１１から突出するように連結されることにより形成される。載置部１２は、第１凸状部１２１と、第２凸状部１２２と、桟部１２３と、を備える。
【００２９】
第１凸状部１２１は、脚部１１の第１棒体１１１に連結される一対の第３棒体１２４と、第３棒体１２４同士を連結する第４棒体１２５と、を備える。本実施形態において、第１凸状部１２１は、脚部１１の長さ方向に沿って５つ設けられる。第１凸状部１２１のそれぞれは、例えば、２６０ｍｍの間隔を開けて配置される。
【００３０】
一対の第３棒体１２４のそれぞれは、長さ方向一端側が脚部１１の第１棒体１１１に連結される。一対の第３棒体１２４のそれぞれは、第１棒体１１１の幅よりも厚い幅で形成され、第１棒体１１１よりも外側に突出した状態で連結される。第３棒体１２４のそれぞれは、例えば、第１棒体１１１の幅３０ｍｍに対し、５０ｍｍの幅で形成される。また、第３棒体１２４のそれぞれは、１００ｍｍの長さで形成される。
【００３１】
第４棒体１２５は、第２棒体１１２と略同じ長さで形成される。即ち、第４棒体１２５は、例えば、第２棒体１１２の長さ６２０ｍｍと略同じ長さで形成される。第４棒体１２５は、一対の第３棒体１２４のそれぞれの長さ方向他端側に連結される。このとき、第４棒体１２５は、第３棒体１２４の他端側端面の一部に重なるように連結される。
【００３２】
第２凸状部１２２は、脚部１１の第２棒体１１２に連結される第５棒体１２６と、第５棒体１２６同士を連結する第６棒体１２７と、を備える。本実施形態において、第２凸状部１２２は、第２棒体１１２の数に合わせて２つ設けられる。第２凸状部１２２は、脚部１１の長さ方向に沿って両端にある第１凸状部１２１のそれぞれから２６０ｍｍの間隔を開けて配置される。
【００３３】
第５棒体１２６は、複数設けられる。第５棒体１２６のそれぞれは、第３棒体１２４の長さと略同じ長さで形成される。即ち、第５棒体１２６のそれぞれは、例えば、第３棒体１２４の長さ１００ｍｍと略同じ長さで形成される。第５棒体１２６のそれぞれは、長さ方向一端が脚部１１の第２棒体１１２に連結される。本実施形態において、第５棒体１２６のそれぞれは、３つ設けられる。２つの第５棒体１２６のそれぞれは、第１棒体１１１及び第２棒体１１２の交点の位置に長さ方向一端面が連結される。第５棒体１２６の残りの１つは、第２棒体１１２の中間位置に長さ方向一端面が連結される。
【００３４】
第６棒体１２７は、第２棒体１１２及び第４棒体１２５と略同じ長さで形成される。即ち、第６棒体１２７は、例えば、第２棒体１１２及び第４棒体１２５の長さ６２０ｍｍと略同じ長さで形成される。第６棒体１２７は、両端部の側面が、２つの第５棒体１２６の長さ方向他端面に連結される。また、第６棒体１２７は、長さ方向中間位置の側面が、残りの第５棒体１２６の長さ方向他端面に連結される。
【００３５】
桟部１２３は、複数の棒体によって構成される。桟部１２３のそれぞれは、脚部１１の第１棒体１１１に沿って第４棒体１２５及び第６棒体１２７の中間位置に連結される。桟部１２３のそれぞれは、例えば、２６０ｍｍの長さで形成される。
【００３６】
一対の柵部２０のそれぞれは、土台１０の長辺に沿って立ちあがる。一対の柵部２０のそれぞれは、複数の鉄製の棒体により、略矩形に形成される。一対の柵部２０のそれぞれは、ドラム缶の高さを超えて立ちあがる。一対の柵部２０のそれぞれは、一対の第８棒体２０１と、複数の第９棒体２０２と、第１０棒体２０３と、第１１棒体２０４と、を備える。
【００３７】
一対の第８棒体２０１のそれぞれは、第２棒体１１２の長さと略同じだけ離して配置される。即ち、一対の第８棒体２０１のぞれぞれは、例えば、第２棒体１１２の長さ１７１０ｍｍと略同じだけ離して配置される。一対の第８棒体２０１のそれぞれは、一端側の側面が、第５棒体１２６の側面と、第６棒体１２７の一端面に連結される。また、一対の第８棒体２０１は、長さ方向が、第５棒体１２６の長さ方向に沿って配置される。第８棒体２０１は、例えば、１０６０ｍｍの長さで形成される。
【００３８】
複数の第９棒体２０２のそれぞれは、第８棒体２０１よりもより短い長さで形成される。具体的には、複数の第９棒体２０２のそれぞれは、第８棒体２０１の長さに対し、第５棒体１２６及び第６棒体１２７の長さ分短い長さで形成される。即ち、第９棒体２０２のそれぞれは、例えば、９３０ｍｍの長さで形成される。複数の第９棒体２０２のそれぞれは、長さ方向が、第８棒体２０１の長さ方向に沿うように配置され、一対の第８棒体２０１の間に配置される。本実施形態において、第９棒体２０２は、３つ設けられる。そして、第９棒体２０２は、第１棒体１１１の長さ方向において、複数の第１凸状部１２１のうちの両端及び中央の位置に合わせて配置される。即ち、第９棒体２０２のそれぞれは、隣接する他の第９棒体２０２と５５０ｍｍの間隔を開けて配置される。また、第９棒体２０２のそれぞれは、隣接する第８棒体２０１と２６０ｍｍの間隔を開けて配置される。
【００３９】
第１０棒体２０３は、第１棒体１１１と略同じ長さに形成される。即ち、第１０棒体２０３は、第１棒体１１１の長さ１７１０ｍｍと略同じ長さで形成される。第１０棒体２０３は、一対の第８棒体２０１のそれぞれの一端側に両端が連結され、長さ方向中間部に第９棒体２０２のそれぞれの一端面が連結される。具体的には、第１０棒体２０３は、第８棒体２０１の一端側から第５棒体１２６の長さ分ずれた位置に連結される。また、第１０棒体２０３は、第３棒体１２４の一端面に長さ方向中間部のうち、第９棒体２０２との連結面とは反対側の面が連結される。
【００４０】
第１１棒体２０４は、第１棒体１１１及び第１０棒体２０３よりもより長い長さで形成される。第１１棒体２０４は、例えば、１８５０ｍｍの長さで形成される。第１１棒体２０４は、第８棒体２０１及び第９棒体２０２の他端面に中間部を連結される。そして、第１１棒体２０４は、長さ方向両端部に第８棒体２０１及び第９棒体２０２の長さ方向に沿って貫通穴１３３が形成される。
【００４１】
サポート材３０は、棒状で一対に形成される。サポート材３０は、例えばＬ字アングルであり、一対の第１１棒体２０４の間の距離に応じた長さで形成される。サポート材３０は、貫通穴１３３に挿通されたボルト（図示せず）を用いて第１１棒体２０４の下面側に固定される。
【００４２】
以上のようなパレット１によれば、図５〜図８に示すように、載置部１２の長さ方向に沿って、複数のドラム缶を隣接配置することができる。そして、載置部１２の載置面は、第４棒体１２５及び第６棒体１２７の長さ分（例えば、１００ｍｍ）、脚部１１から空間を開けて形成されているので、フォークリフト等を用いてパレット１を搬送することができる。また、全てが鉄で形成されていることにより、封入容器２をパレット１に載置したまま加温することができる。
【００４３】
次に、本実施形態に係る燃料用植物油の輸送方法について、図９のフローチャートを用いて説明する。
【００４４】
本実施形態に係る燃料用植物油の輸送方法は、積載工程と、輸送工程と、保管工程と、を備える。
まず、予め、植物油が封入容器２に封入される（ステップＳ１）。そして、積載工程において、複数の封入容器２をパレット１に積載する（ステップＳ２）。
【００４５】
次に輸送工程が実施される。輸送工程において、直方体状のコンテナに積み付けられ（収容され）、周囲の雰囲気の温度で固化する燃料用植物油を封入した複数の封入容器２を積載した金属製のパレット１を上下方向に積み重ねた状態で輸送することが実施される。輸送工程は、補強工程と、積付工程と、移動工程と、移送工程と、を備える。
【００４６】
補強工程において、サポート材３０を用いてパレット１が補強される（ステップＳ３）。具体的には、サポート材３０が、一対の柵部２０の第１１棒体２０４の間に交差して固定されることによりパレット１が補強される。
【００４７】
積付工程において、パレット１をコンテナに積み付ける（ステップＳ４）。この積付工程において、パレット１は、図１０に示すように上下方向に二段に積み付けられる。なお、本実施形態におけるコンテナは、直方体形状である。コンテナの内部は、例えば、長さ方向が１２１９２ｍｍ、幅方向が２４３８ｍｍで形成される。パレット１は、幅方向をコンテナの長さ方向に沿わせて１列に積み付けされる。これにより、コンテナには、１０４個のドラム缶を積み付けることができる。また、ドラム缶が倒れそうになった場合であっても、コンテナの内壁に支持されるので倒れることがない。
【００４８】
次に、移動工程において、コンテナが陸揚げ位置まで移動される（ステップＳ５）。そして、移送工程において、パレット１がコンテナから荷卸しされる。そして、移送工程において、パレット１が、コンテナから保管工程における保管場所に移送される（ステップＳ６）。
【００４９】
そして、保管工程において、図１１に示すように、輸送されたパレット１が上下方向に積み重ねられた状態で加温して保管される（ステップＳ７）。保管工程では、植物油が発電機４０の燃料として用いられ、その排気熱（温水）が温水配管６０を通じて保管場所であるビニールハウス５０に供給される。輸送されたパレット１は、ビニールハウス５０内に積み重ねられた状態で加温される。
【００５０】
以上説明した一実施形態の植物油搬送用パレット１及び燃料用植物油の輸送方法によれば、以下のような効果を奏する。
【００５１】
（１）燃料用植物油の輸送方法を、直方体状のコンテナに積み付けられ、周囲の雰囲気の温度で固化する燃料用植物油を封入した複数の封入容器２を積載した金属製のパレット１を上下方向に積み重ねた状態で輸送する輸送工程を含んで構成した。これにより、燃料用植物油を封入容器２に小分けしてパレット１により輸送することができるので、取り回しを容易にすることができる。また、一例として、燃料用植物油を加温する場合に、封入容器２をパレット１に積載したまま加温することができるので、加温を容易にすることができる。
【００５２】
（２）燃料用植物油の輸送方法を更に、輸送工程の前に、複数の封入容器２をパレット１に積載する積載工程を含んで構成した。これにより、燃料用植物油を効率よく運搬することができ、取り回しをより容易にすることができる。
【００５３】
（３）輸送工程において、パレット１を上下方向に積み重ねつつ、コンテナに積み付ける積付工程を設けた。これにより、燃料用植物油をさらに効率よく運搬することができる。
【００５４】
（４）輸送工程において更に、積付工程の前に、サポート材３０を用いてパレット１を補強する補強工程を設けた。これにより、サポート材３０により補強されたパレット１が積み重ねられるので、パレット１が変形することを防止できる。
【００５５】
（５）燃料用植物油の輸送方法を更に、前記輸送工程の後に、燃料用植物油を燃焼することにより発生した排熱により封入容器２を加温して保管する保管工程を含んで構成した。これにより、燃料用植物油の加温のコストを削減することができる。
【００５６】
（６）保管工程において、パレット１に複数の封入容器２を積載した状態で封入容器２を加温した。これにより、小分けにした状態のまま燃料用植物油を容易に加温することができる。
【００５７】
（７）搬送用パレット１を、直方体のコンテナに積み付けられ、周囲の雰囲気の温度で固化する燃料用植物油を搬送するパレット１であって、燃料用植物油が封入された複数の封入容器２を長辺に沿って隣接配置することにより、封入容器２をコンテナの幅方向に沿って配置可能な直方体状の土台１０と、土台１０の長辺に沿って立ち上がる一対の柵部２０と、により構成した。これにより、柵部２０を用いて土台１０の長辺側に対する封入容器２の移動を規制することができるので、封入容器２を安定した状態で搬送することができる。
【００５８】
（８）一対の柵部２０を、封入容器２の高さを超えて立ち上がるように構成した。これにより、一対の柵部２０の上面にパレット１を載置することができるので、複数のパレット１を積み重ねることができる。これにより、燃料用植物油を効率的に搬送することができる。
【００５９】
（９）土台１０を、コンテナの内部の幅と略同じ長辺をもつように構成した。これにより、パレット１は、直方体状のコンテナに積み付けられることにより、パレット１の短辺側が、コンテナの内壁面に隣接する。パレット１に積載された封入容器２は、コンテナの内壁面によってパレット１の長辺方向への移動を規制されるので、封入容器２を安定させて搬送することができる。
【００６０】
（１０）一対の柵部２０のそれぞれを、略同じ高さで立ち上がるように構成した。これにより、パレット１を安定して積み重ねることができる。
【００６１】
（１１）搬送用パレット１を更に、一対の柵部２０に交差して固定される棒状のサポート材３０により構成した。これにより、一対の柵部２０を補強することができ、柵部２０が変形することを防止できる。
【００６２】
（１２）土台１０及び一対の柵部２０を、金属製とした。これにより、封入容器２をパレット１に積載したまま加温することができる。また、パレット１を廃棄する際に金属として再利用することができる。
【００６３】
以上、本発明の燃料用植物油の輸送方法及び燃料用植物油の搬送用パレットの好ましい一実施形態につき説明したが、本発明は、上述の実施形態に制限されるものではなく、適宜変更が可能である。
【００６４】
例えば、上記実施形態では、燃料用植物油についてパーム油として説明したが、これに限らず、コーン油であってもよい。
【符号の説明】
【００６５】
１  パレット
２  封入容器
１０  土台
２０  柵部
３０  サポート材
【図１】
2018118746.tif 000003
【図２】
2018118746.tif 000004
【図３】
2018118746.tif 000005
【図４】
2018118746.tif 000006
【図５】
2018118746.tif 000007
【図６】
2018118746.tif 000008
【図７】
2018118746.tif 000009
【図８】
2018118746.tif 000010
【図９】
2018118746.tif 000011
【図１０】
2018118746.tif 000012
【図１１】
2018118746.tif 000013